(57)【要約】【課題】浴室内の人の状況を好適に把握することができる風呂給湯装置を提供する。【解決手段】浴室内における人の有無を検出する焦電センサ９８と、浴槽内における人の有無を検出する水位センサ４８と、浴室以外の箇所に設置された台所リモコン１０と、水位センサ４８の検出結果に基づいて、人が入浴したか否かを判定する入浴判定手段と、焦電センサ９８が人がいることを検出し、かつ入浴判定手段が人が入浴したと判定した場合、報知時間までカウントを開始するタイマーと、タイマーのカウントが報知時間到達時に焦電センサ９８が人がいることを検出した場合、報知時間に到達した旨を台所リモコン１０により報知する報知制御手段と、タイマーのカウントが報知時間到達前に焦電センサ９８が人がいないことを検出した場合、カウントをリセットするタイマー制御手段と、を備えた。【選択図】図５
2018071859.tif 000002
【特許請求の範囲】
【請求項１】
浴室内における人の有無を検出する人感センサと、
浴槽内における人の有無を検出する入出浴センサと、
前記浴室以外の箇所に設置された浴室外報知手段と、
前記入出浴センサの検出結果に基づいて、人が入浴したか否かを判定する入浴判定手段と、
前記人感センサが人がいることを検出し、かつ前記入浴判定手段が前記人が入浴したと判定した場合、報知時間までカウントを開始するタイマーと、
前記タイマーのカウントが前記報知時間到達時に前記人感センサが人がいることを検出した場合、前記報知時間に到達した旨を前記浴室外報知手段により報知する報知制御手段と、
前記タイマーのカウントが前記報知時間到達前に前記人感センサが人がいないことを検出した場合、前記カウントをリセットするタイマー制御手段と、を備えた風呂給湯装置。
【請求項２】
前記タイマーのカウントが所定時間到達前に前記人感センサが人がいないことを検出した場合、前記カウントを継続するか終了するかの選択を前記浴室内の人から受け付ける選択手段と、
前記タイマー制御手段は、前記選択手段が前記カウントを継続する選択を受け付けた場合、前記カウントを継続し、前記選択手段が前記カウントを終了する選択を受け付けた場合、前記カウントをリセットする請求項１記載の風呂給湯装置。
【請求項３】
前記浴室に設置された浴室報知手段をさらに備え、
前記報知制御手段は、前記タイマーのカウントが所定時間到達前に前記人感センサが人がいないことを検出した場合、前記選択手段が選択を受け付ける前に前記人感センサが人がいないことを検出した旨を前記浴室報知手段により報知する請求項２記載の風呂給湯装置。
【請求項４】
前記報知制御手段は、前記タイマーのカウントが所定時間到達前に前記人感センサが人がいないことを検出した場合、前記選択手段が選択を受け付ける前に前記浴室内の前記人の状態を確認する注意喚起を前記浴室外報知手段により報知する請求項２または３記載の風呂給湯装置。
【請求項５】
前記報知制御手段は、前記選択手段が前記カウントの継続および終了のいずれの選択も受け付けない場合、前記浴室外報知手段による前記注意喚起を継続し、かつ前記カウントを継続する請求項４記載の風呂給湯装置。
【発明の詳細な説明】
【技術分野】
【０００１】
本発明は、風呂給湯装置に係り、特に浴室内の人の状況を把握し報知する風呂給湯装置に関する。
【背景技術】
【０００２】
従来、入浴者の入浴時間が上限時間に達したところで、風呂リモコンと異なる場所に設けられた第２のリモコンに警告表示する風呂給湯装置が知られている（例えば、特許文献１参照）。
【先行技術文献】
【特許文献】
【０００３】
【特許文献１】特開２０１２−１０７７６７号公報
【発明の概要】
【発明が解決しようとする課題】
【０００４】
今日、入浴者、特に高齢者の入浴事故が増加している。上述した風呂給湯装置は、例えば同居者により入浴者の入浴から出浴までの監視を行うことにより、入浴事故を未然に防ぐことができる。しかし、上述した風呂給湯装置は、浴槽から立ち上がり出浴した直後、または出浴して浴室から退室する前に急激な血圧低下などを起因として意識を失い卒倒したことや、出浴後において浴室内で身動きが取れないことを同居者が知ることができない。すなわち、上述した風呂給湯装置は、入浴時間が上限時間に達する前に浴槽から出浴した場合には、以後の警告表示を行わないため、これらの状況下では警告表示を有効に活用することはできない。
【０００５】
本発明はこのような事情を考慮してなされたもので、浴室内の人の状況を好適に把握することができる風呂給湯装置を提供することを目的とする。
【課題を解決するための手段】
【０００６】
本発明に係る風呂給湯装置は、上述した課題を解決するために、浴室内における人の有無を検出する人感センサと、浴槽内における人の有無を検出する入出浴センサと、前記浴室以外の箇所に設置された浴室外報知手段と、前記入出浴センサの検出結果に基づいて、人が入浴したか否かを判定する入浴判定手段と、前記人感センサが人がいることを検出し、かつ前記入浴判定手段が前記人が入浴したと判定した場合、報知時間までカウントを開始するタイマーと、前記タイマーのカウントが前記報知時間到達時に前記人感センサが人がいることを検出した場合、前記報知時間に到達した旨を前記浴室外報知手段により報知する報知制御手段と、前記タイマーのカウントが前記報知時間到達前に前記人感センサが人がいないことを検出した場合、前記カウントをリセットするタイマー制御手段と、を備えた。
【発明の効果】
【０００７】
本発明に係る風呂給湯装置においては、浴室内の人の状況を好適に把握することができる。
【図面の簡単な説明】
【０００８】
【図１】本実施形態における貯湯式風呂給湯装置の概略的なシステム構成図。
【図２】貯湯式風呂給湯装置の機能ブロック図。
【図３】本実施形態における給湯装置により実行される入出浴報知処理を説明するフローチャート。
【図４】図３の処理において報知時間到達を報知する場合の浴室内の人と、焦電センサと、水位センサと、タイマーと、風呂リモコンおよび台所リモコンとの動作を説明するためのタイムチャート。
【図５】図３の処理において報知時間到達を報知しない場合の浴室内の人と、焦電センサと、水位センサと、タイマーと、風呂リモコンおよび台所リモコンとの動作を説明するためのタイムチャート。
【発明を実施するための形態】
【０００９】
本発明に係る給湯装置の一実施形態を添付図面に基づいて説明する。
【００１０】
図１は、本実施形態における貯湯式風呂給湯装置１の概略的なシステム構成図である。
図２は、貯湯式風呂給湯装置１の機能ブロック図である。
【００１１】
貯湯式風呂給湯装置（給湯装置）１は、貯湯タンクユニット３と、ヒートポンプユニット４と、風呂リモコン５と、台所リモコン１０とを主に有している。また、給湯装置１は、浴槽７と、シャワー８と、カラン９と接続されている。
【００１２】
貯湯タンクユニット３は、湯水を貯湯する貯湯タンク１１を有している。貯湯タンク１１は、貯湯タンク１１内の貯湯温度を検出する複数の貯湯温度センサ１２を側面の上下方向にわたって有している。貯湯タンク１１底部には、貯湯タンク１１に市水を供給する給水管１３が接続される。給水管１３は、市水の給水圧を一定の圧力に減圧する減圧弁１４を有している。また、貯湯タンク１１頂部には、貯湯タンク１１内の過圧を逃す過圧逃し弁１６が接続されている。
【００１３】
貯湯タンク１１頂部には、貯湯タンク１１から出湯する出湯管１８が接続されている。出湯管１８は、給水管１３から分岐された給水バイパス管２０と給湯混合弁１９を介して接続されている。給水バイパス管２０は、給水温度を検出する給水温度センサ２５を有している。
【００１４】
給湯混合弁１９は、給水バイパス管２０からの湯水と出湯管１８からの湯水とを給湯設定温度になるよう混合する。給湯混合弁１９は、給湯管２４と接続されており、給湯混合弁１９で混合された湯水は給湯管２４によりシャワー８およびカラン９へ導かれる。給湯管２４は、給湯流量センサ２６と、給湯温度センサ２７と、流量調整弁２８とを有している。給湯流量センサ２６および給湯温度センサ２７は、給湯管２４を流れる湯水の流量および温度をそれぞれ検出する。流量調整弁２８は、開度を調整することにより給湯管２４を流れる湯水の流量を調整（制限）する。
【００１５】
給湯管２４は、湯水を風呂循環回路４０へ供給する湯はり管３２と接続されている。湯はり管３２は、湯はり流量センサ３３と、湯はり温度センサ３４と、湯はり開閉弁３５とを有している。湯はり流量センサ３３および湯はり温度センサ３４は、湯はり管３２から供給される湯水の流量および温度をそれぞれ検出する。湯はり開閉弁３５は、湯はり管３２を開閉する電磁弁である。
【００１６】
貯湯タンクユニット３は、浴槽７の湯水（浴水）を浴槽７と風呂熱交換器４１との間で循環させる風呂循環回路４０を有している。風呂循環回路４０は、戻り管４２と、風呂熱交換器４１と、往き管４３とを主に有している。戻り管４２は、浴水を風呂熱交換器４１へ戻す。風呂熱交換器４１は、貯湯タンク１１内上部に設けられ、貯湯タンク１１内の湯の熱で浴水を加熱する。往き管４３は、風呂熱交換器４１で加熱された湯水を浴槽７側へ供給する。
【００１７】
風呂循環回路４０は、風呂三方弁４５を介して戻り管４２と往き管４３とをバイパスする熱交バイパス管４６を有している。風呂三方弁４５は、戻り管４２からの湯水を風呂熱交換器４１に流通させるか、往き管４３にバイパスさせるかを切り替える。
【００１８】
また、戻り管４２は、水位センサ４８と、風呂温度センサ４９と、風呂循環ポンプ５０とを有している。水位センサ４８は、浴槽７からの圧力を検出することにより浴槽７内の水位を検出する。水位センサ４８は、浴槽７内における人の有無を検出する入出浴センサとして設けられる。風呂温度センサ４９は、循環する湯水の温度を検出する。風呂循環ポンプ５０は、風呂循環回路４０に浴水を循環させる。往き管４３は、風呂循環回路４０の浴水の循環の有無を検出する流水スイッチ５１を有している。
【００１９】
貯湯タンクユニット３は、貯湯タンクユニット３を電気的に制御する貯湯制御部５５を有している。貯湯制御部５５は、ＭＰＵなどの論理回路を有し、メモリを参照しつつ予め記憶されているプログラムに従って貯湯タンクユニット３を電気的に制御する。すなわち、貯湯制御部５５は、貯湯温度センサ１２、給水温度センサ２５、給湯流量センサ２６、給湯温度センサ２７、湯はり流量センサ３３、湯はり温度センサ３４、水位センサ４８、風呂温度センサ４９、および流水スイッチ５１の検出値を取得し、この検出値に基づいて貯湯タンクユニット３の各種弁などの作動を制御する。また、貯湯制御部５５は、風呂リモコン５および台所リモコン１０を介してユーザの指示を受け付け、各部を制御し指示を実行する。すなわち、貯湯制御部５５は、風呂リモコン５および台所リモコン１０で指示された給湯設定温度や、風呂設定温度、設定湯量などに基づいて給湯運転、風呂自動運転、風呂追だき運転などを実行する。貯湯制御部５５は、後述する入出浴報知処理（図３）において報知時間などをカウントするタイマーを有する。
【００２０】
貯湯タンクユニット３は、加熱往き管６５および加熱戻り管６６を介して、貯湯タンク１１内の湯水を主に深夜時間帯に沸き上げるヒートポンプユニット４と接続される。ヒートポンプユニット４は、これら加熱往き管６５および加熱戻り管６６と、冷媒回路６１と、加熱制御部６２と、外気温度センサ６３とを有している。
【００２１】
加熱往き管６５は、貯湯タンク１１底部から取り出した湯水を流通させる。加熱往き管６５は、貯湯タンク１１からの湯水を供給する加熱循環ポンプ６４と、加熱往き管６５から冷媒水熱交換器６８に流入する湯水の温度を検出する入水温度センサ６９とを有している。加熱戻り管６６は、ヒートポンプユニット４で加熱された湯水を貯湯タンク１１上部へ戻す。加熱戻り管６６は、冷媒水熱交換器６８から加熱戻り管６６へ流出する湯水の温度を検出する沸き上げ温度センサ７０を有している。
【００２２】
冷媒回路６１は、圧縮機７１、冷媒水熱交換器６８、膨張弁７２、および蒸発器７３が冷媒サイクル配管７４で環状に接続された回路である。圧縮機７１は、冷媒を圧縮し高温冷媒とする。冷媒水熱交換器６８は、高温冷媒と貯湯タンク１１からの湯水とを熱交換する。膨張弁７２は、冷媒水熱交換器６８で放熱された冷媒を減圧し、低温低圧の冷媒とする。蒸発器７３は、低温低圧の冷媒を蒸発させる。また、蒸発器７３には、送風機７５により熱源となる外気が送風される。
【００２３】
外気温度センサ６３は、ヒートポンプユニット４が設置されている屋外の外気温度を検出する。加熱制御部６２は、ＭＰＵなどの論理回路を有し、メモリを参照しつつ予め記憶されているプログラムに従ってヒートポンプユニット４を電気的に制御する。すなわち、加熱制御部６２は、入水温度センサ６９、沸き上げ温度センサ７０、および外気温度センサ６３の検出値を取得し、冷媒回路６１などの作動を制御する。
【００２４】
浴室６には、浴槽７、シャワー８および風呂リモコン５が設けられている。風呂リモコン５は、浴室に設置された浴室報知手段として設けられる。風呂リモコン５は、表示部９１と、スピーカ９２と、スイッチ類９３と、通話部９４とを有している。表示部９１は、給湯装置１に関する各種の情報（給湯設定温度、風呂設定温度、風呂設定湯量、残湯量、給湯装置１の作動状態など）を表示する。スイッチ類９３は、風呂自動運転スイッチ、設定スイッチ、メニュースイッチなどを有する。設定スイッチは、給湯設定温度、風呂設定温度および風呂設定湯量を設定する指示を受け付ける。風呂自動運転スイッチは、風呂自動運転を開始または停止する指示を受け付ける。風呂自動運転は、風呂設定温度および湯量に基づいて浴槽７内の湯を設定水位および温度になるよう自動で湯はり運転し、湯はり完了後は設定水位および温度を維持するよう保温時間が経過するまで自動で保温運転する。メニュースイッチは、給湯装置１の詳細な設定を行う階層構造のメニュー設定画面を呼び出す。通話部９４（インターホン）は、台所リモコン１０と通信し、浴室６内の人と台所内の人との間で通話を行わせる。
【００２５】
風呂リモコン５は、焦電センサ９８を有している。焦電センサ９８は、浴室６内における人の有無を検出する人感センサとして設けられる。焦電センサ９８は、検出エリア内の熱源の温度変化量を検出することにより、浴室６に人がいることを検出する。具体的には、焦電センサ９８は、人が移動したときや手足などを動かすことによる検出エリアの温度変化を検出することにより、浴室６内に人が在室しているか否か（動いているかどうか）を検出する。風呂リモコン５は、ＭＰＵなどの論理回路を有し、メモリを参照しつつ予め記憶されているプログラムに従って風呂リモコン５を電気的に制御する風呂リモコン制御部９７を有している。風呂リモコン制御部９７は、スイッチ類９３の指示信号や貯湯制御部５５からの信号を受け、表示部９１に予め定められた必要な情報を表示させる。
【００２６】
シャワー８およびカラン９は、浴室６内や、浴室６外の台所や洗面所などに設けられる。給湯管２４は、流量調整弁２８の下流側で分岐しており、浴室６に設けられたシャワー８と各所のカラン９へ並列に給湯している。
【００２７】
台所リモコン１０は、浴室以外の箇所に設置された浴室外報知手段として設けられ、台所に設置されたリモコンである。台所リモコン１０は、風呂リモコン５とほぼ同様の機能有する表示部１０１と、スピーカ１０２と、スイッチ類１０３と、通話部１０４とを有している。台所リモコン１０は、ＭＰＵなどの論理回路を有し、メモリを参照しつつ予め記憶されているプログラムに従って台所リモコン１０を電気的に制御する台所リモコン制御部１０７を有している。台所リモコン制御部１０７は、スイッチ類１０３の指示信号や貯湯制御部５５からの信号を受け、表示部１０１に予め定められた必要な情報を表示させる。上述した貯湯制御部５５、加熱制御部６２、風呂リモコン制御部９７および台所リモコン制御部１０７は、互いに必要な情報を送受信可能に接続されている。
【００２８】
本実施形態における給湯装置１は、浴室６内の人の状況を把握し、同居者などの浴室６外の人にその旨を報知することができる。すなわち、人の浴槽７への入出浴および浴室６への入退室を好適に検出し、その旨を台所リモコン１０を介して浴室６外の人に報知することができる。以下、浴槽７への入出浴および浴室６への入退室と、それに伴う報知を、入出浴報知処理として具体的に説明する。
【００２９】
図３は、本実施形態における給湯装置１により実行される入出浴報知処理を説明するフローチャートである。
図４は、図３の処理において報知時間到達を報知する場合の浴室６内の人と、焦電センサ９８と、水位センサ４８と、タイマーと、風呂リモコン５および台所リモコン１０との動作を説明するためのタイムチャートである。
【００３０】
図５は、図３の処理において報知時間到達を報知しない場合の浴室６内の人と、焦電センサ９８と、水位センサ４８と、タイマーと、風呂リモコン５および台所リモコン１０との動作を説明するためのタイムチャートである。
【００３１】
図４および図５における各動作説明の後の括弧書きは、各動作に対応する図３の各ステップ名に関する記載である。図５においては、図３の入出浴報知処理における報知ステップＳ１５から在室フラグＯＮステップＳ１８は省略されている。
【００３２】
ステップＳ１において、貯湯制御部５５は、浴室６に人が入室したか（在室しているか）否かを判定する。貯湯制御部５５は、風呂リモコン５の焦電センサ９８の検出結果に基づいて判定する。貯湯制御部５５は入室をしていないと判定した場合（ステップＳ１のＮｏ）、入室を検出するまで待機する。一方、貯湯制御部５５は入室したと判定した場合（ステップＳ１のＹｅｓ）、ステップＳ２において、在室フラグをメモリに記憶する。
【００３３】
ステップＳ３において、入浴判定手段としての貯湯制御部５５は、水位センサ４８の検出結果に基づいて、浴槽７に人が入浴したか否かを判定する。例えば、貯湯制御部５５は、水位センサ４８の検出結果を所定周期で（例えば５００ｍｓ毎に）取得し、得られた所定時間分（例えば３秒分）の検出結果の移動平均値（以下単に「現在水位」という）を算出し記憶する。貯湯制御部５５は、新たに得られた現在水位を所定時間前（例えば３０秒前）の現在水位（以下単に「比較水位」という）と比較する。貯湯制御部５５は、現在水位≧比較水位＋所定値（例えば３ｃｍ）が成立した場合に、浴槽７に人が入浴したと判定する。なお、所定値は人の体積により増加する水位を考慮して決定される。貯湯制御部５５は入浴していないと判定した場合（ステップＳ３のＮｏ）、ステップＳ４において焦電センサ９８の検出結果に基づいて浴室６から人が退室したか否かを判定する。貯湯制御部５５は退室していないと判定した場合（ステップＳ４のＮｏ）、入浴検出ステップＳ３に戻る。一方、貯湯制御部５５は退室したと判定した場合（ステップＳ４のＹｅｓ）、ステップＳ５においてメモリに記憶された在室フラグをＯＦＦし、処理を終了する。
【００３４】
貯湯制御部５５は入浴検出ステップＳ３において入浴したと判定した場合（ステップＳ３のＹｅｓ）、ステップＳ６において、入浴フラグをメモリに記憶する。ステップＳ７において、貯湯制御部５５はタイマーにおいて報知時間のカウントを開始する。報知時間は、入浴者が正常な場合に入浴から退室までに要する時間を考慮して設定された任意の時間であり、例えば１０分である。ステップＳ８において、貯湯制御部５５は入浴者が浴槽７に入浴した旨を台所リモコン１０を介して浴室６外の人に報知する。貯湯制御部５５は、台所リモコン制御部１０７に指示し、台所リモコン１０の表示部１０１に入浴した旨を表示させたり、スピーカ１０２から音声で出力させたりすることにより報知する。
【００３５】
ステップＳ９において、貯湯制御部５５は、水位センサ４８の検出結果に基づいて浴槽７から人が出浴したか否かを判定する。例えば、貯湯制御部５５は、現在水位≦比較水位−所定値が成立する場合に、浴槽７から人が出浴したと判定する。貯湯制御部５５は出浴していないと判定した場合（ステップＳ９のＮｏ）、報知時間到達判定ステップＳ１１に進む。貯湯制御部５５は出浴したと判定した場合（ステップＳ９のＹｅｓ）、ステップＳ１０において、メモリに記憶された入浴フラグをＯＦＦする。
【００３６】
ステップＳ１１において、貯湯制御部５５は、タイマーのカウントが報知時間に到達したか否かを判定する。貯湯制御部５５はカウントが報知時間に到達したと判定した場合（ステップＳ１１のＹｅｓ）、ステップＳ１２において、報知制御手段としての貯湯制御部５５は報知時間に到達した旨を風呂リモコン５および台所リモコン１０を介して入浴者および浴室６外の人にそれぞれ報知する。貯湯制御部５５は、風呂リモコン制御部９７および台所リモコン制御部１０７に指示し、スピーカ９２、１０２からアラームを出力させたり、表示部９１、１０１に報知時間に到達した旨を表示させたりする。また、貯湯制御部５５は、台所リモコン制御部１０７に指示し、表示部１０１に入浴者の安否状態の確認を促す旨を表示させたりする。このとき、視覚的に強調するため、風呂リモコン制御部９７および台所リモコン制御部１０７は表示部９１、１０１のバックライトを点滅させてもよい。風呂リモコン制御部９７および台所リモコン制御部１０７は、通話部９４、１０４を制御し、浴室６と台所との間で自動的に通話可能な状態にする。これにより、浴室６外の人は入浴者とコミュニケーションを図り安否確認をすることができたり、応答がない場合には入浴事故の発生を即座に認識したりすることができる。なお、報知は台所リモコン１０にのみ行ってもよい。
【００３７】
一方、貯湯制御部５５はカウントが報知時間に到達していないと判定した場合（ステップＳ１１のＮｏ）、ステップＳ１３において、焦電センサ９８の検出結果に基づいて浴室６から人が退室したか否かを判定する。貯湯制御部５５は、焦電センサ９８が所定時間（例えば１分）浴室６に人がいないことを検出した場合に、浴室６から人が退室したと判定する。すなわち、貯湯制御部５５は、所定時間焦電センサ９８が熱源の温度変化量を検出しない場合に、退室したと判定する。貯湯制御部５５は退室していないと判定した場合（ステップＳ１３のＮｏ）、報知時間到達判定ステップＳ１１に戻る。
一方、貯湯制御部５５は入浴者が退室したと判定した場合（ステップＳ１３のＹｅｓ）、ステップＳ１４において、メモリに記憶された在室フラグをＯＦＦする。ステップＳ１５において、報知制御手段としての貯湯制御部５５は、風呂リモコン５および台所リモコン１０に焦電センサ９８により人がいないことが所定時間検出された旨を報知する。また、貯湯制御部５５は、台所リモコン１０に、浴室６内の人の状態を確認する注意喚起を報知する。貯湯制御部５５は、風呂リモコン制御部９７および台所リモコン制御部１０７に指示し、スピーカ９２、１０２からアラームを出力させたり、表示部９１、１０１にこれらの報知内容を表示させたりする。
【００３８】
ステップＳ１６において、貯湯制御部５５は、タイマーのカウントを継続するかまたは終了するかの選択を浴室６内の人から受け付けるための選択画面を、風呂リモコン５の表示部９１に表示する。貯湯制御部５５は、風呂リモコン５のスイッチ類９３を介して選択を受け付ける。このとき、風呂リモコン５へ手をかざした動作を焦電センサ９８に検出させることにより、カウントを継続する指示を受け付けてもよい。なお、表示部９１、スイッチ類９３および焦電センサ９８は、カウントを継続するかまたは終了するかの選択を浴室６内の人から受け付ける選択手段として機能する。貯湯制御部５５は、選択画面表示中に、焦電センサ９８の検出結果に基づいて浴室６に人が在室していることを検出した場合、選択画面の表示を終了し、報知時間到達判定ステップＳ１１に戻ってもよい。
【００３９】
この報知ステップＳ１５および選択画面表示ステップＳ１６は、浴室６に人が在室しているにもかかわらず、焦電センサ９８が浴室６に人がいないことを検出してしまう場合に、報知時間に到達したにもかかわらずその報知が行われないことを防止するために行われる。すなわち、焦電センサ９８は、熱源の温度変化量に応じて浴室６内の人の有無を検出するため、出力値が微少となる場合は検出が困難である。例えば、人の動作が微少である場合（例えば頭を少し傾けた場合）や、動作速度が遅い場合、浴槽７内または浴室６内で倒れて動かない場合には、焦電センサ９８は検出が困難である。このような場合であっても、ステップＳ１５およびＳ１６を行うことにより、在室中に報知時間に到達したにもかかわらずその報知が行われないことを防止することができる。
【００４０】
ステップＳ１７において、貯湯制御部５５は、タイマーのカウントを終了する選択を受け付けたか否かの判定を行う。貯湯制御部５５は浴室６内の人からカウントを終了する選択を受け付けていない（継続する選択を受け付けた）場合（ステップＳ１７のＮｏ）、ステップＳ１８において在室フラグをメモリに記憶する。貯湯制御部５５は、タイマーのカウントを継続し、報知時間到達判定ステップＳ１１に戻り以降の処理を繰り返す。一方、貯湯制御部５５はカウントを終了する選択を受け付けた場合（ステップＳ１７のＹｅｓ）、ステップＳ１９において、タイマー制御手段としての貯湯制御部５５はカウントをリセット（終了）する。また、貯湯制御部５５は、入浴フラグがメモリに記憶されている場合には、入浴フラグをＯＦＦする。
【００４１】
なお、貯湯制御部５５は、選択判定ステップＳ１７においていずれかの選択を受け付けた場合には、報知ステップＳ１５における風呂リモコン５および台所リモコン１０への報知、および選択画面表示ステップＳ１６における風呂リモコン５の選択画面の表示を解除させる。一方、選択判定ステップＳ１７において継続および終了のいずれの選択も受け付けない（無反応である）場合には、報知ステップＳ１５を継続し、かつ報知時間到達判定ステップＳ１１に戻りタイマーのカウントを継続することで、浴室６外の人に注意喚起を継続することができ、報知時間が到達した場合にはその旨を報知することができる。
【００４２】
本実施形態における給湯装置１は、浴室６内の人が浴室６から退室したことを条件に、浴室６内の人に異常が生じることなく入浴を終了したとみなすため、より確実に入浴事故を防止することができる。すなわち、出浴後、浴室６内の洗い場で意識を失った場合や、一度出浴したにもかかわらず意識を失い再度浴槽７に倒れてしまった場合であっても、報知時間の到達により確実に浴室６外の人に状況を伝えることができる。
【００４３】
また、浴室６に人が在室しているにもかかわらず、焦電センサ９８が浴室６に人がいないことを検出してしまう場合においても、報知時間に到達したにもかかわらずその報知が行われないことを防止することができる。
【００４４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００４５】
水位センサ４８を一例として説明した入出浴センサは、浴槽７下部に配置された重量センサなどでもよい。
【００４６】
焦電センサ９８を一例として説明した人感センサは、浴室６のドアに設けられたドア開閉センサ、画像処理により浴室６内の人の有無を検知するＣＣＤイメージセンサ、エリアセンサ、サーモグラフィであってもよい。
【００４７】
台所リモコン１０を一例として説明した浴室外報知手段は、リビングなどの台所以外の箇所に設置されたリモコンであってもよい。
【００４８】
図３の入出浴報知処理報知におけるステップＳ１５から在室フラグＯＮステップＳ１８は省略してもよい。
【００４９】
また、給湯装置１は、ヒートポンプユニット４に代えて、貯湯タンク１１に電熱ヒータ式の加熱手段を有したり、ガスバーナや石油バーナで加熱する瞬間式熱交換器（風呂熱交換器）を有したり、コージェネレーションシステムの廃熱回収装置を有してもよい。
【符号の説明】
【００５０】
１  貯湯式風呂給湯装置（給湯装置）
３  貯湯タンクユニット
４  ヒートポンプユニット
５  風呂リモコン
６  浴室
７  浴槽
１０  台所リモコン
４８  水位センサ
５５  貯湯制御部
９１、１０１  表示部
９２、１０２  スピーカ
９３、１０３  スイッチ類
９４、１０４  通話部
９７  風呂リモコン制御部
９８  焦電センサ
１０７  台所リモコン制御部
【図１】
2018071859.tif 000003
【図２】
2018071859.tif 000004
【図３】
2018071859.tif 000005
【図４】
2018071859.tif 000006
【図５】
2018071859.tif 000007